(57)【特許請求の範囲】
【請求項１】
複数のＬＥＤを１方向に配列した光源と、
平行平板状の透明体であって、該透明体の厚みをなす側端面の、互いに対応する一方を入射端面、他方を射出端面とし、上記入射端面が上記光源側に、上記ＬＥＤの配列方向に平行、且つ、近接して配置され、上記光源側から上記入射端面に照射される光を入射させて射出端面に向かって導光する導光体と、
この導光体により導光され、上記射出端面から射出した光を、ライン状の被照明部に向けて反射させるミラー部材と、を有し、
上記導光体は、表面を上記被照明部に向けて上記被照明部と平行に、且つ、ライン状の被照明部の長手方向を含んで被照明部に直交する法線面を介して、上記射出端面が上記ミラー部材と逆の側にあるように配置され、上記導光体の表面および裏面の少なくとも一方に、配光制御領域が形成され、
該配光制御領域には、斜面の外向き法線が光源側に傾く複数の傾斜面：ａと、斜面の外向き法線が射出端面側に傾く複数の傾斜面：ｂが、上記入射端面側から射出端面側に向かって交互に配列して形成され、上記導光体の表面側から外側へ、被照明部に直交するように伸びる方向：Ｐから、上記傾斜面：ａの外向き法線までの角：θａ、上記方向：Ｐから上記傾斜面：ｂの外向き法線までの角：θｂの大小関係が、
θａ＜θｂ  
であり、
上記配光制御領域が上記導光体の表面に形成されている場合、上記角：θａと上記角：θｂの和が略９０度であり、上記配光制御領域が上記導光体の裏面に形成されている場合、上記角：θａと上記角：θｂの和が略２７０度であって、
上記導光体により導光され、上記配光制御領域に入射して被照明部側に射出する光が、上記ミラー部材により反射される光とは、上記法線面の逆の側から上記被照明部を照射するように形成されていることを特徴とする照明装置。
【請求項２】
請求項１記載の照明装置において、  
配光制御領域における傾斜面ａと傾斜面ｂとの間に、導光体表面と平行で細い平面領域が存在することを特徴とする照明装置。
【請求項３】
請求項１または２記載の照明装置において、
導光体の少なくとも射出端面部に、透過光を拡散させる拡散手段を有することを特徴とする照明装置。
【請求項４】
請求項３記載の照明装置において、
拡散手段の拡散領域が、導光体の射出端面部からの射出光と、配光制御領域により導光体表面から射出する射出光とを拡散するように設けられていることを特徴とする照明装置。
【請求項５】
請求項３または４記載の照明装置において、
拡散手段の少なくとも一部が、導光体に拡散面として形成されていることを特徴とする照明装置。
【請求項６】
請求項３または４記載の照明装置において、
拡散手段が、少なくとも一部が、導光体と別体の拡散板であることを特徴とする照明装置。
【請求項７】
請求項６記載の照明装置において、
導光体の表面側に、光源からの光が被照明部に直接入射するのを遮断する遮蔽部材を有することを特徴とする照明装置。
【請求項８】
原稿面をライン状に照明し、原稿面からの光を、ミラーとレンズを有する読取光学系により撮像素子上に結像させ、原稿画像を読取る画像読取装置であって、
原稿面をライン状に照明する照明装置として、請求項１〜７の任意の１に記載のものを用いることを特徴とする画像読取装置。
【請求項９】
請求項８記載の画像読取装置において、
照明装置と読取光学系と撮像素子が、ライン状の被照明部の長手方向に直交し、原稿面に平行な方向へ移動可能な走行体に搭載されたことを特徴とする画像読取装置。
【発明の詳細な説明】
【技術分野】
【０００１】
この発明は、照明装置および画像読取装置に関する。照明装置は、原稿スキャナや、複写装置やマルチファンクション型プリンタ等の画像形成装置における原稿照明装置として実施できるほか、液晶テレビジョン等の液晶表示装置のガラス基板（マザーガラス）のごみ検出のためのライン照明等に用いることができる。
【０００２】
画像形成装置は、照明装置を原稿照明用に用いる上記画像形成装置として実施できる。
【背景技術】
【０００３】
青色ＬＥＤと、黄色蛍光体あるいは「緑色蛍光体と赤色蛍光体」とを組み合わせて白色光を放射する「白色ＬＥＤ」を用いる照明光源が広く知られている。  
このような白色ＬＥＤを複数個、１方向に配列して光源とし、この光源からの光をライトガイドにより導光して原稿面をライン状に照明する照明装置は、従来から種々のものが知られている（特許文献１〜３等）。
【０００４】
この種の照明装置では、原稿像を撮像するライン撮像素子の、受光素子列に対応する「原稿上のライン状部分を含む帯状の領域」をライン照明することになるが、この照明は一般に、照明される「帯状の原稿面部分」に対して、斜め方向から照明光を照射して行なわれる。
【０００５】
このように原稿面に対して斜め方向から照明光を照射する場合、照明される原稿面部分に「折り目」がある場合や、あるいは「切り張りされて紙厚分の段差」がある場合に、斜め方向から照射される照明光により、折り目部分や段差部分が「影（以下、「照明影」と呼ぶ。）を生じさせる。
【０００６】
このように、生じた照明影が読取られると「読取られたデータを再生する画像」の品質を低下させる。  
このような「照明影」の発生を解消できるものとして、特許文献３記載の照明装置が知られている。
【０００７】
特許文献３記載の照明装置では、板状の導光体の「厚みを成す１側端面」から照明光を入射させて導光体内を導光させ、入射側の端面と対応する側端面を「傾斜面」として形成し、導光される照明光を、上記斜面により透過光と反射光に分ける。
【０００８】
透過光は、ミラーにより反射させて照明部へ「斜め方向から照射」させるとともに、反射光は、導光体の表面から射出させ、照明部へ「ミラーの反射による照明光とは逆側」から照射させる。
【０００９】
このようにすれば、原稿の被照明部は「互いに逆方向から斜めに照射される」ので、照明光により被照明部に照明影が生じない。  
しかし、導光体の傾斜面を透過した光はミラー経由で原稿を照明し、傾斜面で反射された反射光は導光体の表面から射出して、直接、原稿面を照明する光となる。  
したがって、ミラー経由の光と直接光とを個別に設計できないため設計の自由度は小さくなってしまう。
【００１０】
また、照明装置は、コンパクトであることが好ましいことは言うまでもない。
【発明の概要】
【発明が解決しようとする課題】
【００１１】
この発明は、コンパクトに構成でき、設計・製造が容易で、照明部に照明影を生じることがない照明装置と、この照明装置を用いる画像読取装置の実現を課題とする。
【課題を解決するための手段】
【００１２】
この発明の照明装置は、複数のＬＥＤを１方向に配列した光源と、平行平板状の透明体であって、該透明体の厚みをなす側端面の、互いに対応する一方を入射端面、他方を射出端面とし、上記入射端面が上記光源側に、上記ＬＥＤの配列方向に平行、且つ、近接して配置され、上記光源側から上記入射端面に照射される光を入射させて射出端面に向かって導光する導光体と、この導光体により導光され、上記射出端面から射出した光を、ライン状の被照明部に向けて反射させるミラー部材と、を有し、上記導光体は、表面を上記被照明部に向けて上記被照明部と平行に、且つ、ライン状の被照明部の長手方向を含んで被照明部に直交する法線面を介して、上記射出端面が上記ミラー部材と逆の側にあるように配置され、上記導光体の表面および裏面の少なくとも一方に、配光制御領域が形成され、該配光制御領域には、斜面の外向き法線が光源側に傾く複数の傾斜面：ａと、斜面の外向き法線が射出端面側に傾く複数の傾斜面：ｂが、上記入射端面側から射出端面側に向かって交互に配列して形成され、上記導光体の表面側から外側へ、被照明部に直交するように伸びる方向：Ｐから、上記傾斜面：ａの外向き法線までの角：θａ、上記方向：Ｐから上記傾斜面：ｂの外向き法線までの角：θｂの大小関係が、
θａ＜θｂ  
であって、上記導光体により導光され、上記配光制御領域に入射して被照明部側に射出する光が、上記ミラー部材により反射される光とは、上記法線面の逆の側から上記被照明部を照射するように形成されている。
【００１３】
そして、上記配光制御領域が上記導光体の表面に形成されている場合、上記角：θａと上記角：θｂの和が略９０度であり、上記配光制御領域が上記導光体の裏面に形成されている場合、上記角：θａと上記角：θｂの和が略２７０度である。
【発明の効果】
【００１４】
この発明の照明装置は、導光体の射出端面から射出して、ミラー部材経由で被照明部を照明する光の光路と、配光制御領域を介して被照明部を照明する光の光路を、個別に設計できるため、設計上の制約が少なく、製造が容易で、低コストでの製造も可能である。
【００１５】
また、被照明部は、互いに逆向きに斜め照射されるので被照明部に微小な凹凸があっても「照明影」を生じさせない。
【００１６】
また、導光体が平行平板であり、入射端面が、光源のＬＥＤの配列方向に平行に近接して配置されるので、導光体と光源とを含む部分を薄型にでき、照明装置をコンパクトに構成できる。
【００１７】
従って、このような照明装置を用いることにより、照明手段に大きなスペースをとられることがなく、原稿画像を良好に読取ることのできるコンパクトな像読取装置を実現できる。
【図面の簡単な説明】
【００１８】
【図１】照明装置の実施の１形態を説明するための図である。
【図２】照明装置の実施の１形態を説明するための図である。
【図３】照明装置の実施の１形態を説明するための図である。
【図４】照明装置の実施の１形態を説明するための図である。
【図５】照明装置の実施の１形態を説明するための図である。
【図６】照明装置の実施の別形態を説明するための図である。
【図７】θａ＋θｂが略９０度であることが好ましい理由を説明するための図である。
【図８】拡散手段を用いる実施の形態を３例説明するための図である。
【図９】拡散手段を用いる実施の形態の別の３例を説明するための図である。
【図１０】画像読取装置の実施の１形態を説明するための図である。
【図１１】画像読取装置の実施の別形態を説明するための図である。
【発明を実施するための形態】
【００１９】
以下、実施の形態を説明する。  
図１から図４は、照明装置の実施の形態の１例を説明するための図である。図１〜図３を参照して照明装置のレイアウトと導光体の配光制御領域を説明する。
【００２０】
図１は、照明装置の要部を示している。  
この照明装置は、原稿画像を読取る画像読取装置において「原稿照明用」に用いられるものである。
【００２１】
照明装置の要部は、光源１と、導光体３と、ミラー５とを有する。  
光源１は、複数のＬＥＤを１方向に配列して、細長いボードに一体化して実装したものであり、勿論、ＬＥＤを点滅させる駆動回路を有している。
【００２２】
配列されるＬＥＤは前述の「白色ＬＥＤ」である。以下において、光源１を「実装ボード１」あるいは「ＬＥＤ実装ボード１」と言うこともある。
【００２３】
導光体３は、平行平板状の透明体であって、その厚みをなす側端面の、互いに対応する一方を入射端面、他方を射出端面となっている。
【００２４】
導光体３の、互いに平行な２つの面を「表面および裏面」とする。表・裏面の形状は、この実施の形態において長方形形状である。表・裏面の間隔が「厚み」であり、厚みをなす側端面は４面あるが、そのうち対向する１対が、上記入射端面と射出端面である。
【００２５】
入射端面・射出端面は、４面の側端面のうちで、長さの大きい方向、即ち、長方形をなす表・裏面の長辺部分における側端面である。
【００２６】
光源１において「配列されるＬＥＤの数」は、照明される「帯状の領域」の最大長さに応じて異なる。配列間隔は、例えば、５ｍｍ〜１０ｍｍ程度であるが、これに限定されるものではなく、より短い配列間隔や、より長い配列間隔もあり得る。
【００２７】
光源１は、その長さが、導光体３の入射端面の長さと略等しく、図の如く、入射端面に近接して配置される。即ち、導光体３の側から見れば、その入射端面が光源１側に、ＬＥＤの配列方向に平行に、且つ、近接するようにして配置される。
【００２８】
ミラー５は「ミラー部材」であり、導光体３の射出端面側に、射出端面と間隔を隔して配置される。  
光源１を発光させると、光は、導光体３の入射端面から導光体３内に取り込まれ、導光体３内を、射出端面側に向かって導光される。ミラー５は、導光体３により導光されて射出端面から射出した光を反射させる。
【００２９】
ミラー５により反射された光は、原稿の「ライン状の被照明部」を照明する。
【００３０】
なお、ミラー５の鏡面形状を「長手方向を軸とするシリンドリカル面」等とし、反射面による反射光束を、１方向に発散あるいは収束させるようにすることもできる。
【００３１】
図２を参照して、光源１と、導光体３と、ミラー５と、原稿０の、相互の位置関係を説明する。
【００３２】
図２において、ライン照明される原稿０は、コンタクトガラス７上に平面的に定置される。  
図２に示すように、光源１、導光体３、ミラー５は、上に説明した位置関係を実現するように、保持部材９に固定的に保持されている。導光体３の射出端面３Ｂとミラー５との間の部分において、保持部材９に開口部９Ａが穿設されている。
【００３３】
導光体３は、コンタクトガラス７と平行になるようにして、表面ＳＴがコンタクトガラス７側を向くように配置される。
【００３４】
上記の如く、光源１から放射され、入射端面３Ａから導光体３に入射し、導光体３により導光されて射出端面３Ｂから射出し、ミラー５により反射された光は、図中に「符号ＬＡで示す部分を含む帯状の領域」を照明する。
【００３５】
符号ＬＡで示す部分は、図２の図面に直交する方向に長い直線状の領域であり、この領域を便宜上「被照明ラインＬＡ」と称する。被照明ラインＬＡは、照明装置との位置関係で定まるものであり、画像を電気信号化するラインセンサ（ライン撮像素子）における受光部（受光素子）の配列方向に対応する。  
即ち、原稿０の被照明ラインＬＡの位置にある原稿０の像が、後述する読取光学系によりラインセンサの受光部に結像する。
【００３６】
被照明ラインＬＡに合致した方向を「主走査方向」と称する。  
また、被照明部において、主走査方向に直交する方向を「副走査方向」と称する。原稿画像の読取は、原稿０と被照明ラインＬＡとを「副走査方向において相対的に変位」させることにより行なわれる。
【００３７】
原稿０と被照明ラインＬＡとを、副走査方向に相対的に変位させるには、図２の装置のように、原稿０をコンタクトガラス７上に平面的に定置した状態で、照明装置を副走査方向（図２の左右方向）へ移動させるようにすれば良い。
【００３８】
あるいは、このようにする代わりに、照明装置を定位置に固定し、原稿０が「被照明ラインＬＡの位置を横切って副走査方向に変位する」ようにしてもよく、さらには、照明装置と原稿０とを、副走査方向において「互いに逆向きに変位」させて行なっても良い。
【００３９】
導光体３は、図２に示すように「平行平板状」である。導光体３の入射端面３Ａは、光源１の長手方向にわたって、光源１に平行して近接している。また、射出端面３Ｂは、入射端面３Ａに平行であり、ミラー５の長手方向に平行に対向している。
【００４０】
即ち、光源１の長手方向、入射端面３Ａ、射出端面３Ｂの長手方向、ミラー５の長手方向は、被照明ラインＬＡに平行、即ち、主走査方向に平行である。
【００４１】
被照明ラインＬＡを含み、被照明ラインＬＡに直交する面を考え、この面を「読取光軸面」とよび、符号ＦＡで表す。
【００４２】
読取光軸面ＦＡは、前述の「ライン状の被照明部の長手方向を含んで被照明部に直交する法線面」である。
【００４３】
前述の「読取光学系」の光軸は、この読取光軸面ＦＡに含まれ、被照明ラインＬＡに直交する。
【００４４】
導光体３の射出端面３Ｂから射出し、ミラー５により反射される照明光は、被照明ラインＬＡを含む帯状部分（図面に直交する方向に長い）を、図２において、読取光軸面ＦＡの右側から斜め左上に向かって照射する。
【００４５】
即ち、導光体３は、表面を被照明部に向けて被照明部と平行に、且つ、ライン状の被照明部である被照明ラインＬＡの長手方向を含んで、被照明部に直交する法線面である読取光軸面ＦＡを介して、ミラー５と射出端面３Ａが逆の側にあるように配置される。
【００４６】
さて、導光体３の、コンタクトガラス７の側に向いた表面ＳＴに、配光制御領域３Ｃが形成されている。
【００４７】
この配光制御領域３Ｃの一部を拡大して示したのが図３である。
【００４８】
図３において、左方が光源１の側であり、右側がミラー５の側である。  
図３に示すように、配光制御領域３Ｃは「２種類の傾斜面が、入射端面３Ａ側から射出端面３Ｂ側に向かって交互に配列した領域」である。  
２種類の傾斜面は、傾斜面：ａと傾斜面：ｂで、これらを符号ＳＡ、ＳＢで表す。  
なお、説明中の実施の形態では、配光制御領域３Ｃは、導光体３の表面の一部に形成されているが、上記表面の全面に形成することもできる。
【００４９】
傾斜面ＳＡ、ＳＢは、何れも、長手方向が主走査方向に平行な短冊形状である。
【００５０】
傾斜面ＳＡ、ＳＢは、これらの面に立てた外向き法線の向きにより特徴づけられる。
【００５１】
図３の如く、導光体３の表面側から「被照明部に直交する」ように外側に伸びる方向を「Ｐ」とする。方向：Ｐは、導光体３の表面の、配光制御領域３Ｃ以外の平面部分に直交する方向に平行である。
【００５２】
傾斜面ＳＡは、その外向き法線ｎａが、方向：Ｐから「光源側（図３で左方）」に傾くように形成される。この傾きの傾き角を「θａ」とする。  
傾斜面ＳＢは、その外向き法線ｎｂが、方向：Ｐから「射出端面側（図３で右方）」に傾くように形成される。この傾きの傾き角を「θｂ」とする。
【００５３】
上記傾き角：θａとθｂとは、
θａ＜θｂ  
となるように大小関係が定められる。
【００５４】
傾斜角：θa、θｂに、このような大小関係が設定されているので、傾斜面ＳＢの傾きがより急峻になる。
【００５５】
このように傾斜面ＳＡ、ＳＢが形成されると、導光体３により導光され、配光制御領域３Ｃに入射して被照明部（コンタクトガラス７）側に射出する光は、ミラー５により反射される光とは「読取光軸面ＦＡの逆の側（図２で左側）から被照明部を照射」する。
【００５６】
説明中の実施の形態では、傾斜面ＳＡの傾斜角：θａは２０度、傾斜面ＳＢの傾斜角：θｂは７０度で、θａ＋θｂは９０度である。
【００５７】
以下、導光体３の材質の屈折率を１．５、導光体３の厚さを１ｍｍ、副走査方向の長さを３０ｍｍとし、入射端面３Ａから１５ｍｍ離れた位置から、射出端面３Ｂ側へ向かって、１０ｍｍの範囲に配光制御領域３Ｃが形成されているものとして、シミュレーションの結果を説明する。傾斜面ＳＡの幅は０．３８ｍｍ、傾斜面ＳＢの幅は０．１４ｍｍとし、傾斜面ＳＡ、ＳＢの配列ピッチは０．４０ｍｍであるとする。
【００５８】
図４（ａ）は、光源から入射端面３Ａを介して導光体３に入射し、導光体３により導光される光の光線のいくつかを具体的に示している。光源から導光体３に入射する光は、導光体３の表面に平行な面に対して種々の傾き角を持っている。  
この傾き角の小さいものは、光線Ｌ０のように、導光体３をそのまま透過して射出端面３Ｂから射出してミラー５に向かう。
【００５９】
ある程度の傾き角を持つ光線は、導光体３の表・裏面で反射を繰り返しつつ射出端面３Ｂの側へ導光されるが、これらの光線の一部は、射出端面３Ｂに到達して射出端面３Ｂから射出する。この光もミラー５に向かう。
【００６０】
光線のうちで「配光制御領域３Ｃに入射するもの」は、配光制御領域３Ｃの光学作用を受ける。配光制御領域３Ｃの作用を受ける光線群のうちの一部は、配光制御領域３Ｃから、図４（ａ）において「斜め右上方向」に射出する。  
一方、他の一部の光線は、配光制御領域３Ｃで反射したのちに射出端面３Ｂから射出してミラー５に向かう。
【００６１】
例えば、光源を構成するＬＥＤの中央から導光体３に入射して「入射端面３Ａの法線方向から２度上方（表面側）」に進む光線を、図４（ｂ）に示すように光線Ｌ１とする。
【００６２】
光線Ｌ１は、傾斜面ＳＢに入射すると、傾斜面ＳＢから射出する射出光成分と、反射光成分に分離する。反射光成分を反射光Ｌ２とすると、反射光Ｌ２は光源側（図の左方）に向かって進む。  
一方、傾斜面ＳＢから射出した光線は、傾斜面ＳＢの射出端面３Ｂ側に隣接する傾斜面ＳＡに入射して、透過光Ｌ３と反射光Ｌ４とに分離される。
【００６３】
これらの光線Ｌ１、Ｌ２、Ｌ３、Ｌ４の強度は、光線Ｌ１の強度を１とすると、光線Ｌ２は０．０４程度、光線Ｌ３が０．１６程度、光線Ｌ４は０．８０程度となる。  
即ち、光線Ｌ１のうち、８０％程度は、配光制御領域３Ｃから、被照明部側へ向かい、図４（ｂ）で斜め右方へ向かって射出し、被照明部を「ミラー５による反射光」とは逆の側から照射する。
【００６４】
次に、図４（ｃ）に示すように、導光体３の表・裏面に対して「−４０度の方位」で導光体３に入射した光線Ｌ５は、導光体３の表・裏面で７回全反射を繰り返し、傾斜面ＳＢを透過して被照明部に向かう。このときの透過光Ｌ７は９６％の透過率となる。傾斜面ＳＢによる反射光Ｌ６の強度は、光線Ｌ５の強度を１として０．０４程度となる。
【００６５】
さらに、ＬＥＤから「−２度の方位」で放出された光線（図４（ｂ）の光線Ｌ１を上下に反転させた光線）は、導光体３の裏面で「１回全反射」して射出端面３Ｂから射出し、ミラー５に向かう。即ち、この光線は射出端面３Ｂでの反射成分を除いて、ミラー５に向かう。
【００６６】
結局、配光制御領域３Ｃに入射して、配光制御領域３Ｃから射出する光線群は、図５に示すように「読取光軸面ＦＡの、図において左側」から、斜め右上方へ向かって「被照明ラインＬＡを含む帯状の領域」を照射する。  
導光体３の裏面側から射出する光は、配光制御領域３Ｃから射出する「原稿照明に寄与する光」に対して１０％程度であり、原稿照明に寄与できる光に対して少ない。
【００６７】
従って、導光体３を介する実効的な照明光の「原稿照明に対する光利用効率」は高い。
【００６８】
導光体３の射出端面３Ｂから射出して、ミラー５により反射された光線群は、図５に示されているように、読取光軸面ＦＡの、図において右側」から、斜め左上方へ向かって被照明ラインＬＡを含む帯状の領域を照射する。
【００６９】
従って、被照明ラインＬＡを含む帯状の被照明部は、読取光軸面ＦＡの左右両側から、互いに逆向きで、斜め方向に照明されることになり、被照明部に平面的に定置された被照明物である原稿０の表面に、折り目部分や段差部分による凹凸があっても「照明影」の発生を有効に抑制できる。
【００７０】
上述した実施の形態例の構成によれば、光源１（ＬＥＤ実装ボード）と、配光制御領域３Ｃを有する導光体３と、ミラー５という部品点数の少なさに加え、配光制御領域３Ｃからの直接照明光とミラー５からの反射照明光によって照明影を抑制し、原稿面法線方向のサイズを非常に薄くでき、さらに配光制御領域３Ｃの斜面構成を上記の如くすることにより、被照明部を、配光制御領域３Ｃからの直接照明光と、ミラー５からの反射照明光とにより効率良く照明できる。
【００７１】
なお、上の実施の形態例では、傾斜面ＳＡと傾斜面ＳＢが「互いに接して繰り返し配置される構成」であるが、傾斜面ＳＡ、ＳＢの間に、導光体３の表面（被照明部に平行な平面である。）と平行な「短冊状の平面部」を設けても良い。
【００７２】
この短冊状の平面部（長手方向は主走査方向に平行である。）は、傾斜面ＳＡとＳＢの１ペア毎に設けることもできるし、複数ペア毎に１つの割りで設けることもでき、さらには、短冊状の平面部の間に存在する傾斜面ＳＡ、ＳＢの数を異ならせても良い。
【００７３】
導光体内部を導光されて平面部に入射する光線は、導光体内での伝搬状態を維持するため、配光制御領域に配置される短冊状の平面部の配置の割合で、ミラー５へ向かう光量の比率を、設計上コントロールできる。
【００７４】
図６を参照して、照明装置の実施の形態の別例を示す。  
繁雑を避けるため、混同の恐れが無いと思われるものについては、図１以下の全図面において同一の符号を付する。
【００７５】
図６（ａ）は、照明装置の要部を示している。  
照明装置の要部は、光源１と、導光体３と、ミラー５と、を有している。
【００７６】
光源１と、ミラー５と、符号７で示すコンタクトガラスは、図１、図２に即して説明したものと同様であり、符号ＬＡは「被照明ライン」、符号ＦＡは「読取光軸面」を示す。また、図６には図示されていないが、光源１と導光体３とミラー５とは、図２に示す例と同様に、保持部材９に固定的に保持されている。  
導光体３は平行平板状の透明体であって、コンタクトガラス７と平行になるようにして、表面ＳＴがコンタクトガラス７側を向くように配置される。図示されない原稿は、図２に示す例と同様に、コンタクトガラス７の上面に平面的に定置される。
【００７７】
光源１から放射され、入射端面３Ａから導光体３に入射し、導光体３により導光されて射出端面３Ｂから射出し、ミラー５により反射された光は、被照明ラインＬＡを含む帯状の領域を照明する。
【００７８】
原稿画像の読取が、原稿と被照明ラインＬＡとを、副走査方向に相対的に変位させることにより行なわれる点も、上述した実施の形態例の場合と同様である。
【００７９】
図６の実施の形態例が、図１〜図５に即して説明した実施の形態例と異なる点は、導光体３における配光制御領域３Ｄの形成位置にある。  
即ち、図６の実施の形態においては、配光制御領域３Ｄは、導光体３の裏面ＳＲ側に形成されている。
【００８０】
図６（ｂ）は配光制御領域３Ｄの一部を拡大して示している。
【００８１】
配光制御領域３Ｄは、傾斜面ＳＡと傾斜面ＳＢを、図の左右方向へ周期的に配列してなる。  
傾斜面ＳＡ、ＳＢは、何れも、長手方向が主走査方向に平行な短冊形である。
【００８２】
傾斜面ＳＡ、ＳＢは、これらの面に立てた「外向き法線」の向きで特徴づけられる。
【００８３】
図６（ｂ）の如く、導光体３の裏面側から「被照明部に直交する」ように被照明部に向かって伸びる方向を「Ｐ」とする。方向：Ｐは、導光体３の裏面の、配光制御領域３Ｄ以外の平面部分に直交する方向に平行である。
【００８４】
傾斜面ＳＡは、その外向き法線ｎａが、方向：Ｐから「光源側（図６（ｂ）で左方）」に傾くように形成される。この傾きの傾き角を「θａ」とする。傾斜面ＳＢは、その外向き法線ｎｂが、方向：Ｐから「射出端面側（図６（ｂ）で右方）」に傾くように形成される。この傾きの傾き角を「θｂ」とする。
【００８５】
上記傾き角：θａとθｂとは、
θａ＜θｂ  
となるように大小関係が定められている。
【００８６】
傾斜角：θa、θｂに、このような大小関係が設定されているので、傾斜面ＳＢの傾きがより急峻になる。
【００８７】
このように傾斜面ＳＡ、ＳＢが形成されると、導光体３により導光され、配光制御領域３Ｄに入射して被照明部（コンタクトガラス７）側に射出する光は、ミラー５により反射される光とは「読取光軸面ＦＡの逆の側（図６で左側）から被照明部を照射」する。
【００８８】
説明中の実施の形態では、傾斜面ＳＡの傾斜角：θａは１１０度、傾斜面ＳＢの傾斜角：θｂは１６０度であり、θａ＜θｂである。  
θａ＋θｂは２７０度であり、この角は、導光体３の外部から見れば９０度である。
即ち、この場合、配光制御領域３Ｄが導光体３の裏面側に形成されており、傾斜面ＳＡの傾斜角：θａと傾斜面ＳＢの傾斜角：θｂとの和は２７０度である。
【００８９】
図６の実施の形態では、光導体３により導光される光線のうちで、配光制御領域３Ｄに入射する光線の多くは、傾斜面ＳＡに入射するが、傾斜面ＳＡは傾斜角が緩いので、傾斜面ＳＡにより反射される成分が多い。
【００９０】
傾斜面ＳＡに反射された光線は、導光体３の表面で全反射されて、傾斜面ＳＡに入射して反射される。このプロセスが繰り返されるたびに、傾斜面ＳＡによる反射光線の「表面ＳＴへの入射角」が次第に小さくなり、この入射角が全反射角を下回ると、表面ＳＴから、被照明部へ向かって射出することになる。
【００９１】
傾斜面ＳＢは、主として、傾斜面ＳＡから射出した光線を屈折させて、導光体３の内部に戻す機能を果たす。
【００９２】
このようにして、配光制御領域３Ｄによる光学作用を受けた光線群は、図６（ａ）に示すように、導光体３の表面ＳＴ側から被照明部へ向かって、図で「斜め右上方」へ向かって射出し、被照明ラインＬＡを含む帯状の領域を、読取光軸面ＦＡの左側から照明する。
【００９３】
導光体３の射出端面３Ｂから射出した光線群は、ミラー５により反射されて、被照明部へ向かって、図で「斜め左上方」へ向かって射出し、被照明ラインＬＡを含む帯状の領域を、読取光軸面ＦＡの右側から照明する。
【００９４】
従って、被照明ラインＬＡを含む帯状の被照明部は、読取光軸面ＦＡの左右両側から、互いに逆向きの斜め方向に照明されることになり、被照射面に平面的に定置された被照明物である原稿の表面に折り目部分や段差部分による凹凸があっても「照明影」の発生を抑制できる。
【００９５】
上述した実施の形態例の構成も、光源１（ＬＥＤ実装ボード）と、配光制御領域３Ｄを有する導光体３と、ミラー５という部品点数の少なさに加え、配光制御領域３Ｄからの直接照明光とミラー５からの反射照明光によって照明影を抑制し、原稿面法線方向のサイズを非常に薄くでき、さらに配光制御領域３Ｄの斜面構成を上記の如くすることにより、被照明部を、配光制御領域３Ｄからの直接照明光と、ミラー５からの反射照明光とにより効率良く照明できる。
【００９６】
上の実施の形態例でも、傾斜面ＳＡ、ＳＢの間に、導光体３の裏面と平行な「短冊状の平面部」を設けても良い。
【００９７】
この短冊状の平面部（長手方向は主走査方向に平行である。）は、傾斜面ＳＡとＳＢの１ペア毎に設けることもできるし、複数ペア毎に１つの割りで設けることもでき、さらには、短冊状の平面部の間に存在する傾斜面ＳＡ、ＳＢの数を異ならせても良い。
【００９８】
導光体内部を導光されて平面部に入射する光線は、導光体内での伝搬状態を維持するため、配光制御領域に配置される短冊状の平面部の配置の割合で、ミラー５へ向かう光量の比率を、設計上コントロールできる。
【００９９】
上に説明した２つの実施の形態においては、配光制御領域３Ｃを導光体３の表面ＳＴ側に、開口制御領域３Ｄを裏面ＳＲ側に形成したが、「配光制御領域は導光体の表面および裏面の少なくとも一方」に形成されれば良いから、同一の導光体３の表面ＳＴ側に配光制御領域３Ｃを、裏面ＳＲ側には配光制御領域３Ｄを形成し、これら２つの配光制御領域３Ｃ、３Ｄの作用を共同させて上記と同様の効果を実現することもできる。
【０１００】
上記の如く、この発明の照明装置では、導光体３の表面もしくは裏面の少なくとも一方に形成される配光制御領域において、傾斜面ＳＡの傾き角：θａと、傾斜面ＳＢの傾き角：θｂが、大小関係：
θａ＜θｂ  
を満足する。
【０１０１】
この大小関係の持つ技術的な意義を、図４を参照して説明する。
【０１０２】
図４（ｂ）の光線Ｌ１について考えると、傾斜面ＳＢの傾き角：θｂが大きくなることは、傾斜面ＳＢに入射する光線Ｌ１の入射角が大きくなることを意味し、このことは、反射光Ｌ２の光量が増大することを意味する。  
他の光線についても同様であり、傾斜面ＳＢによる反射光が増大し、しかも、反射された反射光の裏面ＳＲへの入射角が小さくなるため、配光制御領域により反射される光の一部が、光導体３の裏面ＲＳから射出し、配光制御領域の「被照明部を照明する能力」を低下させる原因となる。
【０１０３】
また、傾斜面ＳＡの傾き角：θａが大きくなることは、傾斜面ＳＡの傾斜が急になることを意味し、例えば、図４（ｂ）において、傾斜面ＳＢから射出して、傾斜面ＳＡで反射される光線Ｌ４の「被照明部への入射角」は大きくなる。
【０１０４】
従って、配光制御領域３Ｃから射出して、被照明部へ向かう照明光は、図５に示す状態よりも「右側にずれた領域」を照明することになる。また、今場合の照明光は、被照明部に対する入射角が大きいので、照明効率は小さい。
【０１０５】
この場合、導光体３の位置を、読取光軸面ＦＡから、図２で左方へずらすことにより、配光制御領域から射出する光が被読取部を照射するようにできるが、このようにすると照明装置としてはサイズが大きくなる。
【０１０６】
このような理由から、傾き角：θａ、θｂの大小関係は「θａ＜θｂ」であるのが良く、この大小関係が逆転して「θａ≧θｂ」となると、導光体を用いる上記効果を十分に得ることができない。
【０１０７】
上記の如く、傾き角：θａ、θｂの大小関係は「θａ＜θｂ」であることが良いが、傾き角：θａ、θｂはまた、その和：θａ＋θｂが略９０度であることが好ましい（上に図１〜図４を参照して説明した実施の形態では、θａ＋θｂは９０度である。）。  
即ち、傾き角：θａ、θｂの和が、９０度より大きすぎる場合や、小さすぎる場合は、導光体を用いる効果を有効に生かすことが難しい。
【０１０８】
例えば、図４（ｂ）の状態において「θａ＜θｂ」なる条件下で、θａ＋θｂが９０度よりも極端に大きくなると、傾斜面ＳＡと傾斜面ＳＢとが成す角が小さくなる結果、傾斜面ＳＡ、ＳＢの波状の配列における「波の高さ」が大きくなる。
【０１０９】
例えば、θａ＝５２度、θｂ＝９２度であれば、θａ＋θｂ＝１４４度であるが、この場合を説明図的に図７（ａ）に示す。
【０１１０】
このような状態では、光線Ｌの場合を例示するように、傾斜面ＳＡから傾斜面ＳＢまでの導光体部分を通過するに連れて、導光される光の光路が「導光体３の内側」へ曲げられる。そして、裏面で反射して傾斜面ＳＢで反射されて被照明部に到達する。
【０１１１】
このような照明光Ｌは「被照明部への入射角が小さい」ため、配光制御領域を経由して被照明部を照射する光の照射位置は、読取光軸面ＦＡよりも光源寄りに偏ってしまう。
【０１１２】
これを避けるには、導光体の射出端面を読取光軸面ＦＡに近づけることが考えられるが、射出端面を読取光軸面ＦＡに近づけすぎると、導光体が「読取光束（原稿被照明部からラインセンサに向かう結像光束）を遮光する恐れ」があり、読取データの品質を下げる恐れが生じる。
【０１１３】
逆に、図４（ｂ）の状態において「θａ＜θｂ」なる条件下で、θａ＋θｂが９０度よりも極端に小さくなると、傾斜面ＳＡと傾斜面ＳＢとが成す角が大きくなる結果、傾斜面ＳＡ、ＳＢの波状の配列における「波の高さ」が小さくなる。
【０１１４】
例えば、θａ＝１５度、θｂ＝３５度であれば、θａ＋θｂ＝５０度であるが、この場合を説明図的に図７（ｂ）に示す。
【０１１５】
このような状態では、光線Ｌの場合を例示するように、傾斜面ＳＢで反射されると、導光体３の内側へ曲げられて、裏面から漏れてしまう。このように、この場合には、照明に対する光の利用効率が低くなりやすい。
【０１１６】
上に説明した実施の形態では、照明装置に用いる光源として「白色ＬＥＤ」を用いるものを説明したが、光源に用いるＬＥＤは白色ＬＥＤに限らず、他の単数色もしくは混色のＬＥＤを用いることができる。
【０１１７】
ところで、ＬＥＤ光源からの光は強度が強く、これを直視した場合に「ぎらついた」感じがあり、ライン読取装置で、誤って「原稿をセットしないままで読取動作を行なった場合」などに、照明光が直接に目に入って不快な思いをすることがある。
【０１１８】
以下に説明する実施の形態は、「拡散手段」を用いて、このような問題を有効に防止できるようにしたものである。
【０１１９】
図８には実施の形態を３種示す。なお、混同の恐れがないと思われるものについては、上述した実施の形態の図において用いた符号を用いる。
【０１２０】
図８に示す３種の実施の形態において、基本的部分は、図５に示すものと同じである。
【０１２１】
光源１、導光体３、ミラー５は、図示されない保持部材により前述の位置関係を実現するように保持されている。保持部材による保持の状態は、図２に示すものと同じである。
【０１２２】
図８（ａ）に示す実施の形態では、導光体３の射出端面３Ｂが拡散処理されて拡散面ＤＬとなっている。配光制御領域３Ｃの構成は、図１〜図３に即して説明した実施の形態例の場合と同一であり、傾斜面ＳＡの傾斜角：θａは２０度、傾斜面ＳＢの傾斜角：θｂは７０度である。即ち、θａ＋θｂは９０度である。
【０１２３】
導光体３の材質の屈折率は１．５、導光体３の厚さは１ｍｍ、副走査方向の長さは３０ｍｍとし、入射端面３Ａから１５ｍｍ離れた位置から、射出端面３Ｂ側へ向かって、１０ｍｍの範囲に配光制御領域３Ｃが形成されており、傾斜面ＳＡの幅は０．３８ｍｍ、傾斜面ＳＢの幅は０．１４ｍｍとし、傾斜面ＳＡ、ＳＢの配列ピッチは０．４０ｍｍであるとする。
【０１２４】
拡散面ＤＬは「すりガラスのような微小な凹凸」を表面加工して形成されている。  
拡散面ＤＬ（射出端面３Ｂである。）を拡散しつつ透過した拡散透過光や、ミラー５により反射された光は、原稿０の載置面側から眺めたときＬＥＤ光源の像が直接見えることがない。
【０１２５】
「拡散面ＤＬが無いときには、コンタクトガラス７越しに、ミラー５の側端面から見えていたＬＥＤ光源の像」が、拡散によってぼかされるため、ＬＥＤ光源独特の「ぎらつき感やまぶしさ」が低減され、ライン読取装置のユーザが直接照明光を見たときの不快感を有効に減じることができる。
【０１２６】
また、拡散面ＤＬによる拡散によって、照明される原稿０上での照度分布がスムージングされるため、原稿面上の微細な領域でのリップル（照度分布の小さい凹凸）を抑制できる。
【０１２７】
拡散面ＤＬによる２次的な効果として、拡散によって読取光軸面ＦＡを挟んで配置されるミラー５からの反射照明光においても、原稿面上の照度分布がスムージングされるために、原稿面の副走査方向照度分布および主走査方向照度分布のリップル、すなわち狭い領域での照度分布の凹凸が低減されて照明性能が向上する。
【０１２８】
図８（ｂ）に示す実施の形態では、導光体３の射出端面３Ｂを拡散面ＤＬとするとともに、導光体３の表面ＳＴ側に拡散板ＤＰを設けた点に特徴がある。
【０１２９】
拡散板ＤＰの大きさは、コンタクトガラス７側から導光体３の表面ＳＴを見たときに、配光制御領域３Ｃが「全て覆われる」ようにサイズを決定する。  
拡散板ＤＰは、ガラス等の透明の板材の少なくとも１面に「すりガラスのような微小な凹凸」を加工したものを用いることができる。  
拡散板ＤＰを用いない場合、配光制御領域３Ｃからコンタクトレンズ７側に射出する光は、傾斜面ＳＡ、ＳＢを通過するので、コンタクトガラス７側から見ると「ＬＥＤ像が分割して位置がずれて重畳された複雑な変形像」が見える。  
この場合も「ぎらつき感」が残る場合がある。
【０１３０】
図８（ｂ）のように、配光制御領域３Ｃを覆うように、拡散板ＤＰを配置することにより、上記「残留するぎらつき感」を無くすことができ、さらに、配光制御領域３Ｃから原稿面を直接照明する直接照明光の、副走査方向および主走査方向の照度分布の、狭い領域での凹凸である照度分布のリップルも同時に低減できる。
【０１３１】
図８（ｃ）に示す実施の形態では、拡散板ＤＰ１が用いられている点に特徴の一端がある。拡散板ＤＰ１は「直角に折れ曲がった拡散板」であり、配光制御領域３と射出端面３Ｂを覆うように設けられている。
【０１３２】
このようにする代わりに、配光制御領域３Ｃの部分を覆う拡散板部分と、射出端面３Ｂの部分を覆う拡散板部分を、別体として用いても良い。
【０１３３】
拡散板ＤＰ１は、ガラス等の透明の板材の少なくとも１面に「すりガラスのような微小な凹凸を加工」したものを用いることができる。
【０１３４】
この実施の形態の場合も、図８（ｂ）の形態例と同様、残留するぎらつき感を無くすことができ、被照明部における照度分布の狭い領域での凹凸であるリップルも低減させることができる。
【０１３５】
なお、図８（ｂ）、（ｃ）に示した拡散板ＤＰ、ＤＰ１は「表面にすりガラスのような微小な凹凸のあるタイプ」のもののみならず、マイクロレンズのような小さな凸形状がランダムに設置された「レンズ拡散板」でもよい。  
さらには、主走査方向（または副走査方向）における拡散効果をより効果的に得たい場合には「楕円もしくは細長いマイクロレンズ」を多数、ランダムに配置したレンズ拡散板や、一方向に鋸歯状の周期構造（もしくは不等ピッチ）の有するシートを用いることもできる。
【０１３６】
図９には、拡散手段を用いる照明装置の実施の別の形態を３例示す。
【０１３７】
図９（ａ）に示す実施の形態は、図８（ｃ）に示す実施の形態に、さらに、遮光板ＳＬＰを付加した例である。
【０１３８】
遮光板ＳＬＰは、導光体３の表面ＳＴの、配光制御領域３Ｃよりも光源１側の部分を覆うように固定して設けられる。  
遮光板ＳＬＰは「光源１から導光体３に入らずに、直接コンタクトガラス７側に抜ける光線」や、導光体３の表面ＳＴの「配光制御領域３Ｃよりも光源側の部分」から射出してコンタクトガラス７側に向かう光を遮蔽する機能を果たす。  
この実施の形態では遮光板ＳＬＰは、拡散板ＤＰ１と一体に形成されている。
【０１３９】
遮光板ＳＬＰは、また、図８（ｂ）に示す拡散板ＤＰと一体にして用いることもできるし、さらには、図８（ａ）の実施の形態における配光制御領域３Ｃよりも光源１側において、表面ＳＴを覆うように設けることができる。
【０１４０】
図９（ｂ）は、図６に示した実施の形態と、拡散手段とを組み合わせた実施の形態の１例を示す図である。  
この例では、配光制御領域３Ｄが、導光体３の裏面ＳＲに形成されている。
【０１４１】
この実施の形態では、導光体３の射出端面３ｂの部分と、表面ＳＴの「配光制御領域３Ｄにより反射偏向された照明光が射出する部分」とが、拡散面ＤＰ２として形成されている。
【０１４２】
拡散面ＤＰ２は、サンドブラスト加工やエッチング処理で表面に微小な凹凸を加工することで形成することができる。
【０１４３】
導光体３の所定の面に、拡散機能および配光制御の機能をもたせて一つの部品になっている。例えば金型成型でこの導光板３を作製することができ、生産性が高い。
【０１４４】
図９（ｃ）は、図９（ａ）に示す実施の形態の変形例であって、配光制御領域３Ｄを、導光体３の裏面ＳＲに形成した例である。導光体３の射出端面３ｂの部分と、表面ＳＴの「配光制御領域３Ｄにより反射偏向された照明光が射出する部分」とを覆うように、拡散板ＤＰ１が設けられている。
【０１４５】
また、導光体３の表面ＳＴの、拡散板ＤＰ１の光源側端部よりも光源１側の部分を覆うように、遮光板ＳＬＰが固定して設けられ「光源１から導光体３に入らずにコンタクトガラス７側に抜ける光線」や、導光体３の表面ＳＴの「拡散板ＤＰ１よりも光源側の部分」から射出してコンタクトガラス７側に向かう光を遮蔽する。  
この実施の形態でも遮光板ＳＬＰは、拡散板ＤＰ１と一体に形成されている。
【０１４６】
図９（ａ）に示す遮光板ＳＬＰは、図８（ａ）、（ｂ）に示す形態例においても、配光制御領域３Ｃよりも光源１側の部分で、導光体３の表面ＳＴを覆うように、設けることができる。
【０１４７】
図９（ｃ）に示す遮光板ＳＬＰは、図９（ｂ）に示す形態例においても、拡散面ＤＰ２よりも光源１側の部分で、導光体３の表面ＳＴを覆うように、設けることができる。
【０１４８】
図９（ｂ）に示す例において、拡散面ＤＰ２の「導光体３の表面ＳＴ側の部分」は、図８に示す拡散板ＤＰに置き換えることができる。
【０１４９】
上に説明した、図８、図９の各実施の形態においても、光源１、導光体３、ミラー５の位置関係や、これを保持する保持部材は、図２に示す場合と同様である。  
また、導光体３に形成される配光制御領域３Ｃ、３Ｄにおいても、傾斜面ＳＡ、ＳＢの間に、導光体３の表面・裏面（被照明部に平行な平面である。）と平行な「短冊状の平面部」を設けても良い子とは言うまでもない。
【０１５０】
なお、上に説明した実施の各形態において、保持部材９の導光体３の側の面を反射面として、導光体３の裏面側から漏れる光を、導光体３に有効に戻すようにして良いことは言うまでもない。
【０１５１】
図１０、図１１に、画像読取装置の実施の形態を示す。  
図１０に示す画像読取装置は、コンタクトガラス７上に平面的に定置された原稿０の画像を読取る装置であって、キャリッジ１２、１４、読取レンズ１６、ラインセンサ１８を有する。
【０１５２】
キャリッジ１２には、照明装置１０と、第１ミラーＭ１が搭載され、キャリッジ１４には、第２ミラーＭ２、第３ミラーＭ３が搭載されている。
【０１５３】
照明装置１０は、上に実施の形態を説明したもののうちの任意のものが用いられる。照明装置１０により照明を行なうと、コンタクトガラス７上の原稿０の、被照明ラインＬＡを含む「図面に直交する方向に細長い帯状の被照明部」が照明される。
【０１５４】
被照明部からの反射光は、第１ミラーＭ１、第２ミラーＭ２、第３ミラーＭ３により順次反射され、読取レンズ１６に入射し、読取レンズ１６の結像作用により「被照明ラインＬＡ上にある画像の縮小像」として、ラインセンサ１８の受光部に結像する。  
キャリッジ１２、１４をそれぞれ、原稿０の原稿面に平行に、矢印方向へ等速移動させる。このとき、キャリッジ１４の走行速度を、キャリッジ１２の走行速度の１／２に調整し、被照明ラインＬＡから読取レンズ１６に至る光路長が、常に一定となるようにする。
【０１５５】
このようにして、原稿０の画像をラインセンサ１８により読取って、画像データとすることができる。
【０１５６】
図１１に実施の形態を示す画像読取装置は、コンタクトガラス７上に平面的に定置された原稿０の画像を読取る装置であって、照明装置１０と、第１〜第３ミラーｍ１〜ｍ３、読取レンズ１６、ラインセンサ１８を、一体に搭載したキャリッジ１３サ１８を有する。
【０１５７】
照明装置１０は、上に実施の形態を説明したもののうちの任意のものが用いられる。照明装置１０により照明を行なうと、コンタクトガラス７上の原稿０の、被照明ラインＬＡを含む「図面に直交する方向に細長い帯状の被照明部」が照明される。
【０１５８】
被照明部からの反射光は、第１ミラーｍ１、第２ミラーｍ２、第３ミラーｍ３により順次反射され、読取レンズ１６に入射し、読取レンズ１６の結像作用により「照明ラインＬＡ上にある画像の縮小像」として、ラインセンサ１８の受光部に結像する。  
キャリッジ１３を、原稿０の原稿面に平行に、矢印方向へ等速移動させことにより、原稿０の画像をラインセンサ１８により読取って、画像データとすることができる。
【０１５９】
図１０、図１１に示す画像読取装置は、何れも、照明光学系である照明装置１０が、前述した「光源（ＬＥＤ実装ボード）と、配光制御領域を有する導光体と、ミラー部材を含む少ない部品点数」で構成され、配光制御領域からの直接照明光とミラー部材からの反射照明光による「読取光軸面の両側」からの照明により「照明影」を抑制でき、原稿面法線方向のサイズを非常に薄くできる。  
したがって、照明装置の薄型化により、画像読取装置も原稿面に直交する方向のサイズを小さくでき、読取性能良好な画像読取装置を構築できる。  
特に、図１１の実施の形態では、１つのキャリッジ１３内に、照明系と読取光学系を搭載できるため、照明系である照明装置１０を薄く出来ることにより、キャリッジ１３自体をコンパクト化・軽量化でき、高速読取にも十分に対応できる。
【０１６０】
また、照明装置として、図８以下に実施の形態を示した「拡散手段」を有するものを用いることにより、ＬＥＤ光源固有の「ぎらつき感やまぶしさ」が有効に低減され、遮光板ＳＬＰを用いると、ＬＥＤ光源からの直接光が原稿面側に伝搬しないため、迷光として問題となる可能性のある不要な光をカットできる。
【０１６１】
さらに、原稿読取装置としては、拡散手段を用いる効果として、被照明部における照度分布のリップル低減により、「原稿読取中に原稿照明位置とラインセンサの共役位置（ラインセンサが見ている原稿面位置）がずれたときに、原稿面の照度分布にリップルが提言されていることにより、読取画像の濃度ムラを抑制できる。
【０１６２】
図１１、図１２に示した画像読取装置に、プリンタを組み合わせ、画像読取装置により得られた画像データをプリントするようにして、画像形成装置を構成することが出来ることは勿論である。
【符号の説明】
【０１６３】
０      原稿  
１      光源  
３      導光体  
５      ミラー  
３Ａ    入射端面  
３Ｂ    射出端面  
３Ｃ    配光制御領域  
ＬＡ    被照明ライン    
ＦＡ    読取光軸面  
【先行技術文献】
【特許文献】
【０１６４】
【特許文献１】特開２０１０−１６４９６号公報
【特許文献２】特開２００９−３７７４６号公報
【特許文献３】特開２０１１−８２６２６号公報
【図１】
0005915126.tif 000002
【図２】
0005915126.tif 000003
【図３】
0005915126.tif 000004
【図４】
0005915126.tif 000005
【図５】
0005915126.tif 000006
【図６】
0005915126.tif 000007
【図７】
0005915126.tif 000008
【図８】
0005915126.tif 000009
【図９】
0005915126.tif 000010
【図１０】
0005915126.tif 000011
【図１１】
0005915126.tif 000012